(57)【要約】【課題】扉の開閉に連動し網が前後にスライドする利便性を確保しつつ調理物への加熱むらを低減した電気加熱調理器を提供すること。【解決手段】本体１と、加熱室３を形成し前面を開口する内筐体４と、内筺体４の前方に軸支部６を備え軸支部６による軸支により回転自在開閉し把手を備える扉５と、調理物を乗せる網９と、網９の上方に調理物を加熱する上ヒーター７と、網９の下方に調理物を加熱する下ヒーター８と、網９を保持する内筐体４から加熱室３側に突出した載置部１９と、扉５の開閉に連動し網９を前後にスライドさせるフック２０を扉５に備える構成とした電気加熱調理器とすることにより、網が扉の開閉に連動し前後にスライドする利便性を確保しつつ加熱室からの熱の放出を低減することにより調理物への加熱むらを低減することができる。【選択図】図１
2012137232.tif 000002
【特許請求の範囲】
【請求項１】
本体と、
加熱室を形成し前面を開口する内筐体と、
前記内筺体の前方に設けられた軸支部により軸支され回転自在に開閉する、把手を備えたる扉と、
調理物を乗せる網と、
前記網の上方に調理物を加熱する上ヒーターと、
前記網の下方に調理物を加熱する下ヒーターと、
前記網を保持する前記内筐体から前記加熱室側に突出した載置部と、
前記扉に設けられ、前記扉の開閉に連動して前記網を前後にスライドさせるフックとを、備えた電気加熱調理器。
【請求項２】
前記フックは、前記網の一部を挟むように構成した後方突起と前方突起とを有し、前記扉の開閉操作において、前記前方突起の先端は前記網より上方に位置する請求項１に記載の電気加熱調理器。
【発明の詳細な説明】
【技術分野】
【０００１】
本発明は一般家庭で使用されると共にオーブントースター等のヒーターを備えた電気加熱調理器に関するものである。
【背景技術】
【０００２】
従来、この種の電気加熱調理器は、図５に示されるように、本体５０の外郭を構成する外板６１と、本体５０の前面に開口５１を有する加熱室５２と、開口５１を回動開閉する扉５３と、加熱室５２内の上下に調理物を加熱する加熱手段として上ヒーター５４と下ヒーター５５を配置し、上ヒーター５４と下ヒーター５５の間には、調理物を載せる網５６を配置している。本体５０の底部分には本体５０を支える脚６０を配置している。扉５３の本体５０前方側に開閉操作時につかむ部分である把手５７を配置している。扉５３の加熱室５２側には扉５３の開放に連動し網５６を引き出すフック５８を配置している。加熱室５２を構成する内筐体６２には、左右の両側壁に前後方向に長穴６４と、長穴６４に貫通し内筐体６２の左右を横断し本体後方よりばねにて引っ張り力を受ける支持軸６５を設け、支持軸６５にて網５６の本体後方側を支持している。本体５０の底部６３には調理物から発生するくずを受け本体５０の外へ取出すことのできる屑受皿５９を備えている。
【先行技術文献】
【特許文献】
【０００３】
【特許文献１】特開平１０−１５１０７７号公報
【発明の概要】
【発明が解決しようとする課題】
【０００４】
しかしながら、前記従来の構成では、内筐体６２に長穴６４を設け、支持軸６５を貫通させる構成としていることにより、加熱室５２内の熱が、長穴６４から放出されるため、長穴６４近傍の温度が低下することにより調理物への加熱むらが発生するという課題を有していた。また、長穴６４を無くすと、網５６を支持する手段がなく、網５６を支持することができないという課題を有していた。
【０００５】
本発明は、前記従来の課題を解決するもので、扉の開閉に連動し網が前後にスライドする利便性を確保しつつ調理物への加熱むらを低減した電気加熱調理器を提供することを目的とする。
【課題を解決するための手段】
【０００６】
前記従来の課題を解決するために、本発明の電気加熱調理器は、内筐体に穴を設けず、内筐体から突出した載置部を配置し、扉の開閉に連動して、網を前後にスライドさせるフックを扉に設けたものである。
【０００７】
これによって調理物への加熱むらを低減することにより調理性能を向上させ、さらに扉の開閉に連動して網が前後にスライドする利便性の両方を満足させることができる。
【発明の効果】
【０００８】
本発明の電気加熱調理器は、加熱室を構成する内筐体に穴を無くし、扉の開閉に連動して網が前後にスライドする構成とすることにより、操作性を維持しながら加熱むらを低減することができる。
【図面の簡単な説明】
【０００９】
【図１】本発明の実施の形態１における電気加熱調理器の扉閉止状態の縦断面図
【図２】同電気加熱調理器の斜視図
【図３】同電気加熱調理器の扉開放状態の縦断面図
【図４】同電気加熱調理器の他の扉開放状態の縦断面図
【図５】従来の電気加熱調理器の縦断面図
【発明を実施するための形態】
【００１０】
第１の発明は、本体と、加熱室を形成し前面を開口する内筐体と、前記内筺体の前方に設けられた軸支部により軸支され回転自在に開閉する、把手を備えたる扉と、調理物を乗せる網と、前記網の上方に調理物を加熱する上ヒーターと、前記網の下方に調理物を加熱する下ヒーターと、前記網を保持する前記内筐体から前記加熱室側に突出した載置部と、前記扉に設けられ、前記扉の開閉に連動して前記網を前後にスライドさせるフックとを備えた電気加熱調理器とすることにより、網が扉の開閉に連動し前後にスライドする利便性を確保しつつ加熱室からの熱の放出を低減することにより調理物への加熱むらを低減することができる。
【００１１】
第２の発明は、特に、第１の発明のフックが網の一部を挟むように配置した後方突起と前方突起により構成し、扉の開閉操作において前記前方突起の先端が前記網より上方に位置する構成としたことにより、扉の開放動作において網の前方方向の移動範囲を規制することにより網が前方へ脱落することを防止することができる。
【００１２】
（実施の形態１）
図１は、本発明の第１の実施の形態における電気加熱調理器の扉閉止状態の縦断面図、図２は同電気加熱調理器の斜視図、図３は同電気加熱調理器の扉開放状態の縦断面図、図４は同電気加熱調理器の他の扉開放状態の縦断面図を示すものである。
【００１３】
図１から図４において、本体１の外郭は、側面と天面を構成する外板１１と後面を構成する後板１２と底面を構成する底板１３により構成し、本体１の前面に開口２を有する加熱室３を形成する内筐体４と、内筐体４の下部に調理物から排出される屑を受ける屑受皿１４と、内筐体４に配置した軸支部６により軸支され開口２を回動開閉し前面に把手１５を構成した扉５と、本体１の扉５の下方には加熱動作を制御する制御部を内部に備えた操作部１７を配置している。扉５は、加熱室３内の様子が確認できるよう耐熱性のガラス部１８とガラス部１８の外周を構成する外周枠部１６とにより構成している。把手１５は、扉５と非接触の手でつかむ部分であるグリップ部２１と、扉５とグリップ部２１をつなぐアーム部２２と、扉５前方部分にガード１０Ａを構成し、耐熱性が高く熱伝導の小さい材料であるフェノール樹脂で形成している。扉５の開放した状態は、把手１５が床面からおよそ３０ｍｍの距離にてストッパー２７にて停止する。内筐体４内には、上下から調理物を加熱する加熱手段として上ヒーター７と下ヒーター８を配置し、上ヒーター７と下ヒーター８の間には、調理物を載せる網９を配置している。網９は内筐体４両側に設けた内筐体４から加熱室３側に突出した上面がおよそ水平の載置部１９で保持されており、扉５の内筐体４側に設けた扉５開放時に上方向きとなり網９の一部を挟むよう構成した後方突起２３と前方突起２４とにより構成するフック２０と係合することにより扉５の開閉に連動し前後にスライドする構成としている。本体１の下面には脚２５を配置し、脚２５により本体を支持している。
【００１４】
以上のように構成された電気加熱調理器について、以下その動作、作用を説明する。
【００１５】
まず、把手１５のグリップ部２１を持って扉５を手前に引き、開口２を開放し、加熱室３内へ調理物を網９の上に置く。扉５を閉め操作部１７を操作し、調理を開始させる。調理終了後は、同様に把手１５のグリップ部２１を持って扉５を手前に引き開放し、調理物
を加熱室３内から取出し、また、グリップ部２１を持って扉５を押し上げ扉５を閉める。調理動作時および調理完了直後の加熱室３を構成する内筐体４と扉５は高温となるため、操作には注意が必要である。このときの把手１５による扉５の開閉操作であるが、グリップ部２１と扉５の間にガード１０Ａを設けていることにより、グリップ部２１を持つ操作を誤って手が扉５の方向へ移動した場合でも扉５の前にガード１０Ａを設けていることにより手が扉５に触れることはない。さらに扉５を開放した状態で把手１５が床面からおよそ３０ｍｍの空いていることにより、グリップ部２１の下側に手を差し込むことが可能であるため、グリップ部２１をつかみやすい。同様に扉５の開閉操作において、網９は載置部１９上を前後にスライドするのであるが、扉５の開放操作では、フック２０の後方突起２３が網９を前方に引き出し、扉５の閉塞操作では、フック２０の前方突起２４が網９を後方に押し込むことにより、網９は前後にスライドする。扉５を開放した時の前方突起２４の先端高さを網９の載置する位置より高くすることにより、図４のように、勢いよく扉５を開放し網９が前方へ脱落しそうになっても網９の前方へのスライドは前方突起２４で停止することにより網９および調理物が加熱室３から脱落することはない。加熱室３は上ヒーター７と下ヒーター８の加熱により網９上に置いた調理物を加熱調理する。また、使用者はガラス部１８から加熱室３内部の調理物の調理状態を確認しながら調理を行う。網９とフック２０であるが、フック２０は後方突起２３と前方突起２４との間が上方に開口しているので、網９は上方向へ引き上げることにより着脱が可能であり、本体１から外してお手入れが可能である。
【００１６】
以上のように、本実施の形態においては、扉５に後方突起２３と前方突起２４を備えたフック２０と、内筐体４の両側に加熱室３側に突出する載置部１９と、載置部１９によって支持される調理物を載せる網９を設けたことにより、扉５の開閉動作に連動し網９をスライドさせ調理物の加熱室３からの出し入れの操作性を向上させることができる。
【００１７】
また、前方突起２４の扉５開放時の高さを網９より高い位置とすることにより、網９が前方方向へ載置部１９から脱落することを防止し、安全に使用することができる。
【産業上の利用可能性】
【００１８】
以上のように、本発明にかかる電気加熱調理器は扉にフックを設け、フックにより扉の開閉に連動し網を前後にスライドさせることにより扉開放時に網から前方へスライドするので、扉の開閉機構を有し、内筐体の内部へ物を出し入れする機器等の用途に適用できる。
【符号の説明】
【００１９】
１  本体
２  開口
３  加熱室
４  内筐体
５  扉
６  軸支部
７  上ヒーター
８  下ヒーター
９  網
１９  載置部
２０  フック
２３  後方突起
２４  前方突起
【図１】
2012137232.tif 000003
【図２】
2012137232.tif 000004
【図３】
2012137232.tif 000005
【図４】
2012137232.tif 000006
【図５】
2012137232.tif 000007